(57)【要約】【課題】電気コネクタと流体コネクタとの周辺部の外径寸法を抑制できる液質検出器を提供する。【解決手段】液質検出器１は、基端部２ａと先端部２ｂとを有する外周壁２と、第１内部電極３ａを有するとともに外周壁２の内側に形成された測定電極部３と、第２内部電極４ａと液絡部４ｂとを有するとともに外周壁２の内側に形成された比較電極部４と、外周壁２よりも軸方向基端側に配置された、第１内部電極３及び第２内部電極４の両方を外部電気コネクタ９に電気接続させるための電気コネクタ５と、外周壁２よりも軸方向基端側に配置された、比較電極部４を外部流体コネクタ８ａに流体接続させるための流体コネクタ６と、を備え、電気コネクタ５と流体コネクタ６とは軸方向に直列配置されている。【選択図】図１
2019184310.tif 000002
【特許請求の範囲】
【請求項１】
基端部と先端部とを有する筒状の外周壁と、
第１内部電極を有するとともに前記外周壁の内側に形成された測定電極部と、
第２内部電極と液絡部とを有するとともに前記外周壁の内側に形成された比較電極部と、
前記外周壁よりも、前記外周壁の軸方向に沿って前記先端部から前記基端部に向かう軸方向基端側に配置された、前記第１内部電極及び前記第２内部電極の両方を外部電気コネクタに電気接続させるための電気コネクタと、
前記外周壁よりも前記軸方向基端側に配置された、前記比較電極部を外部流体コネクタに流体接続させるための流体コネクタと、を備え、
前記電気コネクタと前記流体コネクタとは、前記軸方向に直列配置されている、
液質検出器。
【請求項２】
前記外周壁は、前記基端部に位置する外周面を有し、
前記電気コネクタは、外周面を有し、
前記流体コネクタは、外周面を有し、
前記電気コネクタの前記外周面と前記流体コネクタの前記外周面とがそれぞれ、前記外周壁の前記外周面を前記軸方向基端側に延長した仮想外周面内に収まっている、請求項１に記載の液質検出器。
【請求項３】
前記電気コネクタは、前記流体コネクタよりも前記軸方向基端側に配置されている、
請求項１又は２に記載の液質検出器。
【請求項４】
前記電気コネクタは、前記外部電気コネクタと結合可能な筒壁を有し、
前記液質検出器は、前記筒壁を包囲する包囲壁と、前記包囲壁と前記外周壁とを連結する連結壁と、前記第１内部電極及び前記第２内部電極と前記電気コネクタとを電気接続するケーブルと、を備え、
前記連結壁は、前記ケーブルを前記流体コネクタに向けて露出させる半身形状を有する、
請求項３に記載の液質検出器。
【請求項５】
前記電気コネクタの前記筒壁は、前記包囲壁に区画された切り欠きに配置されたＵ字締結具によって前記包囲壁に固定されている、
請求項４に記載の液質検出器。
【請求項６】
前記包囲壁は、前記外部流体コネクタと流体接続されたチューブを嵌合可能なチューブ支持部を有する、
請求項４又は５に記載の液質検出器。
【請求項７】
前記外周壁と前記流体コネクタとを有する第１ハウジングと、
前記包囲壁と前記連結壁とを有する第２ハウジングと、を備え、
前記流体コネクタは、雄ねじ部を有し、
前記第２ハウジングは、前記雄ねじ部への環状ナットの締結によって前記第１ハウジングに固定され、
前記外部流体コネクタは、前記環状ナットが締結された前記雄ねじ部に締結される、
請求項４〜６のいずれか一項に記載の液質検出器。
【請求項８】
請求項１〜７のいずれか一項に記載の液質検出器と、
前記外部流体コネクタと、前記外部流体コネクタに流体接続された一端部を有するチューブと、前記チューブの他端部に流体接続されるとともに前記比較電極部に供給するための内部液を収容する供給容器と、を有する内部液供給装置と、
前記外部電気コネクタと、
前記第１内部電極と前記第２内部電極との電位差に応じたアナログ信号を物性値を示すデジタル信号に変換する信号変換部と、
マン・マシン・インタフェース部を有する分析装置と、を備え、
前記信号変換部は、
前記外部電気コネクタを有するアダプタに設けられるとともに、前記外部電気コネクタから入力される前記アナログ信号を変換した前記デジタル信号を前記分析装置に出力可能であり、
前記分析装置に設けられるとともに、前記外部電気コネクタから入力される前記アナログ信号を前記デジタル信号に変換可能であり、又は、
前記液質検出器に設けられるとともに、前記デジタル信号を、前記外部電気コネクタを通じて前記分析装置に出力可能である、
液質分析システム。
【請求項９】
前記電気コネクタは、前記外部電気コネクタと結合することで、前記電気コネクタと前記外部電気コネクタとを電気接続させる電気コネクタ結合部を形成し、
前記流体コネクタは、前記外部流体コネクタと結合することで、前記流体コネクタと前記外部流体コネクタとを流体接続させる流体コネクタ結合部を形成し、
前記外周壁は、前記基端部に位置する外周面を有し、
前記電気コネクタ結合部は、外周面を有し、
前記流体コネクタ結合部は、外周面を有し、
前記電気コネクタ結合部の前記外周面と前記流体コネクタ結合部の前記外周面とがそれぞれ、前記外周壁の前記外周面を前記軸方向基端側に延長した仮想外周面内に収まっている、
請求項８に記載の液質分析システム。
【発明の詳細な説明】
【技術分野】
【０００１】
本発明は、液質検出器及び液質分析システムに関する。
【背景技術】
【０００２】
水素イオン濃度（ｐＨ）等の液体の物性値を検出可能な液質検出器として、外周壁と、第１内部電極を有するとともに前記外周壁の内側に形成された測定電極部と、第２内部電極と液絡部とを有するとともに前記外周壁の内側に形成された比較電極部と、前記外周壁よりも軸方向基端側に配置された、比較電極部を外部流体コネクタに流体接続させるための流体コネクタと、を備えるものが知られている（例えば、特許文献１参照）。このような液質検出器は、特許文献１に記載されるように、液質検出時に、挿入開口を区画する挿入支持部を有するホルダによって、挿入開口に前記外周壁が軸方向基端側に向けて挿入された状態で支持される場合がある。
【０００３】
特許文献２には、外部電気コネクタと結合可能な電気コネクタを有する液質検出器が記載されている。また、特許文献２の図２には、液質検出器と、マン・マシン・インタフェース部を有する分析装置と、外部電気コネクタを有するアダプタに設けられるとともに、外部電気コネクタから入力されるアナログ信号を変換したデジタル信号を分析装置に出力可能な信号変換部と、を備えるシステムが記載されている。
【先行技術文献】
【特許文献】
【０００４】
【特許文献１】特開昭５８−６１４５７号公報
【特許文献２】特開２０１７−１１７４８２号公報
【発明の概要】
【発明が解決しようとする課題】
【０００５】
特許文献１に記載されるような内部液供給型の液質検出器に、特許文献２に記載されるような電気コネクタを設けることにより、電気コネクタを有する内部液供給型の液質検出器を得ることができる。また、そのような液質検出器と、外部流体コネクタを有する内部液供給装置と、外部電気コネクタと、第１内部電極と前記第２内部電極との電位差に応じたアナログ信号を物性値を示すデジタル信号に変換する信号変換部と、マン・マシン・インタフェース部を有する分析装置と、によって液質分析システムを構成することができる。
【０００６】
しかし、内部液供給型の液質検出器に電気コネクタを設けると、電気コネクタと流体コネクタとの周辺部の外径寸法が増加し、省スペースの観点等から望ましくないという問題があった。また、液質検出器における電気コネクタと流体コネクタとの周辺部の外径寸法が増加すると、例えば上述したような挿入支持部を有するホルダを用いる場合に、既存のホルダを使用できないという不都合を生じる可能性も増加する。
【０００７】
本発明は、このような問題に鑑み、電気コネクタと流体コネクタとの周辺部の外径寸法を抑制できる液質検出器及び液質分析システムを提供することを目的とする。
【課題を解決するための手段】
【０００８】
本発明の一態様に係る液質検出器は、
基端部と先端部とを有する筒状の外周壁と、
第１内部電極を有するとともに前記外周壁の内側に形成された測定電極部と、
第２内部電極と液絡部とを有するとともに前記外周壁の内側に形成された比較電極部と、
前記外周壁よりも、前記外周壁の軸方向に沿って前記先端部から前記基端部に向かう軸方向基端側に配置された、前記第１内部電極及び前記第２内部電極の両方を外部電気コネクタに電気接続させるための電気コネクタと、
前記外周壁よりも前記軸方向基端側に配置された、前記比較電極部を外部流体コネクタに流体接続させるための流体コネクタと、を備え、
前記電気コネクタと前記流体コネクタとは、前記軸方向に直列配置されている。
【０００９】
本発明に係る液質検出器は、
前記外周壁が、前記基端部に位置する外周面を有してもよく、
前記電気コネクタが、外周面を有してもよく、
前記流体コネクタが、外周面を有してもよく、
前記電気コネクタの前記外周面と前記流体コネクタの前記外周面とがそれぞれ、前記外周壁の前記外周面を前記軸方向基端側に延長した仮想外周面内に収まっていてもよい。
【００１０】
本発明に係る液質検出器は、前記電気コネクタが、前記流体コネクタよりも前記軸方向基端側に配置されていてもよい。
【００１１】
本発明に係る液質検出器は、
前記電気コネクタが、前記外部電気コネクタと結合可能な筒壁を有してもよく、
前記液質検出器が、前記筒壁を包囲する包囲壁と、前記包囲壁と前記外周壁とを連結する連結壁と、前記第１内部電極及び前記第２内部電極と前記電気コネクタとを電気接続するケーブルと、を備えてもよく、
前記連結壁が、前記ケーブルを前記流体コネクタに向けて露出させる半身形状を有してもよい。
【００１２】
本発明に係る液質検出器は、前記電気コネクタの前記筒壁が、前記包囲壁に区画された切り欠きに配置されたＵ字締結具によって前記包囲壁に固定されていてもよい。
【００１３】
本発明に係る液質検出器は、前記包囲壁が、前記外部流体コネクタと流体接続されたチューブを嵌合可能なチューブ支持部を有してもよい。
【００１４】
本発明に係る液質検出器は、
前記外周壁と前記流体コネクタとを有する第１ハウジングと、
前記包囲壁と前記連結壁とを有する第２ハウジングと、を備えてもよく、
前記流体コネクタが、雄ねじ部を有してもよく、
前記第２ハウジングが、前記雄ねじ部への環状ナットの締結によって前記第１ハウジングに固定されてもよく、
前記外部流体コネクタが、前記環状ナットが締結された前記雄ねじ部に締結されてもよい。
【００１５】
本発明の一態様に係る液質分析システムは、
本発明に係る液質検出器と、
前記外部流体コネクタと、前記外部流体コネクタに流体接続された一端部を有するチューブと、前記チューブの他端部に流体接続されるとともに前記比較電極部に供給するための内部液を収容する供給容器と、を有する内部液供給装置と、
前記外部電気コネクタと、
前記第１内部電極と前記第２内部電極との電位差に応じたアナログ信号を物性値を示すデジタル信号に変換する信号変換部と、
マン・マシン・インタフェース部を有する分析装置と、を備え、
前記信号変換部は、
前記外部電気コネクタを有するアダプタに設けられるとともに、前記外部電気コネクタから入力される前記アナログ信号を変換した前記デジタル信号を前記分析装置に出力可能であり、
前記分析装置に設けられるとともに、前記外部電気コネクタから入力される前記アナログ信号を前記デジタル信号に変換可能であり、又は、
前記液質検出器に設けられるとともに、前記デジタル信号を、前記外部電気コネクタを通じて前記分析装置に出力可能である。
【００１６】
本発明に係る液質分析システムは、
前記電気コネクタが、前記外部電気コネクタと結合することで、前記電気コネクタと前記外部電気コネクタとを電気接続させる電気コネクタ結合部を形成してもよく、
前記流体コネクタが、前記外部流体コネクタと結合することで、前記流体コネクタと前記外部流体コネクタとを流体接続させる流体コネクタ結合部を形成してもよく、
前記外周壁が、前記基端部に位置する外周面を有してもよく、
前記電気コネクタ結合部が、外周面を有してもよく、
前記流体コネクタ結合部が、外周面を有してもよく、
前記電気コネクタ結合部の前記外周面と前記流体コネクタ結合部の前記外周面とがそれぞれ、前記外周壁の前記外周面を前記軸方向基端側に延長した仮想外周面内に収まっていてもよい。
【発明の効果】
【００１７】
本発明によれば、電気コネクタと流体コネクタとの周辺部の外径寸法を抑制できる液質検出器及び液質分析システムを提供することができる。
【図面の簡単な説明】
【００１８】
【図１】本発明の一実施形態に係る液質検出器を示す側面図である。
【図２】図１に示す液質検出器を他の角度で示す側面図である。
【図３】図１に示す液質検出器を示す斜視図である。
【図４】図１に示す液質検出器を示す分解斜視図である。
【図５Ａ】図１に示す第２ハウジングを示す側面図である。
【図５Ｂ】図１に示す第２ハウジングを他の角度で示す側面図である。
【図５Ｃ】図１に示す第２ハウジングを示す上面図である。
【図５Ｄ】図１に示す第２ハウジングを示す底面図である。
【図６】図１に示す液質検出器を示す上面図である。
【図７】図１に示す液質検出器を備える液質分析システムの一例を示す図である。
【図８】図１に示す液質検出器を備える液質分析システムの他の例を示す図である。
【図９】図７に示す液質分析システムにおいて液質検出器をホルダで支持した状態を示す一部断面側面図である。
【図１０】参考例としての液質検出器を示す側面図である。
【発明を実施するための形態】
【００１９】
以下、図面を参照して、本発明の一実施形態に係る液質検出器及び液質分析システムについて詳細に例示説明する。
【００２０】
図１〜図３に示すように、本実施形態に係る液質検出器１は、外周壁２、測定電極部３、比較電極部４、電気コネクタ５及び流体コネクタ６を備えている。また、本実施形態に係る液質分析システム７は、図７に示すように、本実施形態に係る液質検出器１、内部液供給装置８、外部電気コネクタ９、信号変換部１０及び分析装置１１を備えている。本実施形態では、信号変換部１０は、外部電気コネクタ９を有するアダプタ１２に設けられている。
【００２１】
液質検出器１は、本実施形態では、ガラス電極によって測定電極部３を構成することにより、被測定液の物性値としてｐＨを検出可能なｐＨ検出器として構成されている。しかし、液質検出器１は、ｐＨ検出器に限られず、例えば、金属電極によって測定電極部３を構成することにより、被測定液の物性値として酸化還元電位を検出可能なＯＲＰ検出器として構成されてもよいし、ガラス膜型等のイオン電極によって測定電極部３を構成することにより、被測定液の物性値として所望のイオンの濃度を検出可能なイオン濃度検出器として構成されてもよい。
【００２２】
外周壁２は、基端部２ａと先端部２ｂとを有する筒状をなしている。より具体的には、外周壁２は、上下方向中間部に円環状のフランジ２ｃを有する円筒状をなしている。しかし、外周壁２は、フランジ２ｃを有していなくてもよいし、円筒状以外の筒状（例えば、上面視多角形状の筒状等）をなしていてもよい。本明細書において、単に「軸方向」というときは、外周壁２の軸方向を意味する。また、単に「軸方向基端側」というときは、外周壁２の軸方向に沿って先端部２ｂから基端部２ａに向かう方向を意味し、単に「軸方向先端側」というときは、「軸方向基端側」の反対方向を意味する。また、「軸方向」を「上下方向」、「軸方向基端側」を「上方」、「軸方向先端側」を「下方」ともいう場合がある。
【００２３】
図１に示すように、測定電極部３は、外周壁２の内側に形成されている。測定電極部３は、第１内部電極３ａを有している。本実施形態では、測定電極部３は、感応部を有するガラス管３ｂと、ガラス管３ｂの内部に充填された内部液３ｃと、を有しており、第１内部電極３ａは内部液３ｃに侵漬されている。測定電極部３の内部液３ｃは、例えば、塩化カリウム（ＫＣｌ）溶液であってよい。
【００２４】
図１〜図２に示すように、比較電極部４は、外周壁２の内側に形成されている。比較電極部４は、第２内部電極４ａと液絡部４ｂとを有している。また、比較電極部４は、内部液４ｃを収容する収容空間４ｄを区画する収容部４ｅ有している。第２内部電極４ａは、収容空間４ｄに配置され、内部液４ｃに侵漬されている。液絡部４ｂは、収容部４ｅに設けられている。比較電極部４の内部液４ｃは、例えば、塩化カリウム（ＫＣｌ）溶液であってよい。
【００２５】
図示は省略するが、本実施形態では、外周壁２の内側には、測温部も形成されている。測温部によって検出した被測定液の温度に基づいてｐＨの測定値の校正が可能である。なお、このような測温部を設けない構成としてもよい。また、他の物理量を検出可能な他の検出部を外周壁２の内側に追加的に設けてもよい。
【００２６】
図１〜図３に示すように、電気コネクタ５は、外周壁２よりも軸方向基端側に配置されている。また、電気コネクタ５は、第１内部電極３ａ及び第２内部電極４ａの両方を外部電気コネクタ９に電気接続させるためのものである。本実施形態では、電気コネクタ５は、外部電気コネクタ９と結合可能な筒壁５ａを有している。当該筒壁５ａは、外周壁２の軸方向に延在している。電気コネクタ５は、外部電気コネクタ９と結合することで、電気コネクタ５と外部電気コネクタ９とを電気接続させる電気コネクタ結合部１３を形成することができる。電気コネクタ５は、第１内部電極３ａに電気接続された第１端子と第２内部電極４ａに電気接続された第２端子とを有している。また、外部電気コネクタ９は、第１外部端子と第２外部端子とを有している。そして、電気コネクタ５と外部電気コネクタ９との電気接続は、第１外部端子と第１端子とが電気接続されるとともに第２外部端子と第２端子とが電気接続されることによってなされる。電気コネクタ５と外部電気コネクタ９とは、ねじ部を介して互いに着脱できるように構成されている。しかし、電気コネクタ５と外部電気コネクタ９とは、ねじ部以外の係合部を介して互いに着脱できるように構成されてもよい。
【００２７】
流体コネクタ６は、外周壁２よりも軸方向基端側に配置されている。また、流体コネクタ６は、比較電極部４を外部流体コネクタ８ａに流体接続させるためのものである。外部流体コネクタ８ａは、比較電極部４に内部液４ｃを供給するためのものであり、図７に示す内部液供給装置８の一部である。内部液供給装置８は、外部流体コネクタ８ａ、チューブ８ｂ及び供給容器８ｃを有している。供給容器８ｃは、比較電極部４に供給するための内部液４ｃを収容するように構成されている。より具体的には、供給容器８ｃは、比較電極部４の収容空間４ｄに供給するための内部液４ｃを収容する内部空間を区画している。チューブ８ｂは、外部流体コネクタ８ａに流体接続された一端部と、供給容器８ｃに流体接続された他端部と、を有している。より具体的には、チューブ８ｂは、供給容器８ｃの内部空間に連通する内部流路を区画している。外部流体コネクタ８ａは、チューブ８ｂの内部流路に連通する外部接続口を有している。
【００２８】
図１〜図３に示すように、流体コネクタ６は、外部流体コネクタ８ａと結合可能な筒壁６ａを有している。当該筒壁６ａは、外周壁２の軸方向に延在している。流体コネクタ６は、外部流体コネクタ８ａと結合することで、流体コネクタ６と外部流体コネクタ８ａとを流体接続させる流体コネクタ結合部１４を形成することができる。流体コネクタ６は、比較電極部４の収容空間４ｄに流体接続された接続口を有する。流体コネクタ６と外部流体コネクタ８ａとの流体接続は、外部接続口と接続口とが流体接続されることによってなされる。流体コネクタ６と外部流体コネクタ８ａとは、詳細は後述するが、ねじ部を介して互いに着脱できるように構成されている。しかし、流体コネクタ６と外部流体コネクタ８ａとは、ねじ部以外の係合部を介して互いに着脱できるように構成されてもよい。
【００２９】
本実施形態では、電気コネクタ５は、流体コネクタ６よりも軸方向基端側に配置されている。そして、液質検出器１は、電気コネクタ５の筒壁５ａを包囲する包囲壁１５と、包囲壁１５と外周壁２とを連結する連結壁１６と、第１内部電極３ａ及び第２内部電極４ａと電気コネクタ５とを電気接続するケーブル１７と、を備えている。ケーブル１７は、第１内部電極３ａと第１端子とを電気接続する第１芯線と第２内部電極４ａと第２端子とを電気接続する第２芯線とを内部に有している。連結壁１６は、ケーブル１７を流体コネクタ６に向けて露出させる半身形状を有している。すなわち、連結壁１６は、上面視で流体コネクタ６に向けて開口するＵ字形状をなしている。したがって、流体コネクタ６に外部流体コネクタ８ａを取り付ける際の作業空間を確保し、取り付け作業を容易にすることができる。しかし、包囲壁１５及び連結壁１６の形状は適宜変更が可能である。
【００３０】
図３〜図４に示すように、電気コネクタ５の筒壁５ａは、包囲壁１５に区画された切り欠き１５ａに配置されたＵ字締結具１８によって包囲壁１５に固定されている。Ｕ字締結具１８の両端部には一対の雌ねじが設けられている。そして、当該一対の雌ねじに、包囲壁１５に設けられた一対の孔を通じて一対のねじ１９を締結することにより、Ｕ字締結具１８の内面と包囲壁１５の内面とで電気コネクタ５の筒壁５ａを締め付けて固定することができる。しかし、このようなＵ字締結具１８以外の手段によって電気コネクタ５を固定する構成としてもよい。電気コネクタ５が固定されていることにより、外部電気コネクタ９を電気コネクタ５にねじ込んで結合させる際に、ケーブル１７におけるねじれの発生を抑制することができる。
【００３１】
包囲壁１５は、外部流体コネクタ８ａと流体接続されたチューブ８ｂを嵌合可能なチューブ支持部２０を有している。チューブ支持部２０は、軸方向の全長に亘る切り欠き２０ａが形成された筒状をなしており、所定の抵抗力を越えた押圧力でチューブ８ｂが押し付けられたときにチューブ８ｂが切り欠き２０ａを通過してチューブ支持部２０の内側に嵌合するように構成されている。チューブ支持部２０の構造は、適宜変更が可能である。また、包囲壁１５がチューブ支持部２０を有さない構成としてもよい。
【００３２】
本実施形態では、液質検出器１は、外周壁２と流体コネクタ６とを有する第１ハウジング２１と、包囲壁１５と連結壁１６とを有する第２ハウジング２２（図５Ａ〜図５Ｄ参照）と、を備えている。第１ハウジング２１は、測定電極部３の設置空間を区画している。また、第１ハウジング２１は、比較電極部４の内部液４ｃを収容する収容空間４ｄを区画している。第１ハウジング２１は、複数の部材によって構成されている。第２ハウジング２２は、単一の部材によって構成されている。しかし、第２ハウジング２２は、複数の部材によって構成されてもよい。第１ハウジング２１及び第２ハウジング２２は、例えば合成樹脂製であってよい。
【００３３】
図４に示すように、流体コネクタ６は、雄ねじ部２３を有している。第２ハウジング２２は、雄ねじ部２３への環状ナット２４の締結によって第１ハウジング２１に固定されるように構成されている。また、外部流体コネクタ８ａは、環状ナット２４が締結された雄ねじ部２３に締結されるように構成されている。このように、流体コネクタ６の雄ねじ部２３を、第２ハウジング２２の固定と、外部流体コネクタ８ａの固定との両方に用いる構成とすることで、省スペース化を図ることができる。第２ハウジング２２の底面には、図５Ａ、図５Ｂ及び図５Ｄに示すように、一対の位置決め突起２５が設けられている。一対の位置決め突起２５は、第２ハウジング２２を第１ハウジング２１に固定する際に、図４に示される一対の位置決め凹部２６に挿入されることで、第１ハウジング２１に対する第２ハウジング２２の位置を定めることができる。なお、位置決め突起２５及び位置決め凹部２６の数は適宜増減が可能である。また、位置決め突起２５及び位置決め凹部２６を設けない構成としてもよい。
【００３４】
図１〜図２及び図６に示すように、本実施形態では、電気コネクタ５と流体コネクタ６とは、軸方向に直列配置されている。本明細書において、電気コネクタ５と流体コネクタ６とが「軸方向に直列配置されている」という表現は、軸方向に視たときに電気コネクタ５と流体コネクタ６とが互いに重なる部分（図６においてハッチングで示された重複部分Ｐ）を有していることを意味する。このような配置により、電気コネクタ５と流体コネクタ６との周辺部における液質検出器１の外径寸法を抑制することができる。
【００３５】
図６に示すように、外周壁２は基端部２ａに位置する外周面Ｓ１を有しており、電気コネクタ５は外周面Ｓ２を有しており、流体コネクタ６は外周面Ｓ３を有している。そして、本実施形態では、上記のような「直列配置」により、電気コネクタ５の外周面Ｓ２と流体コネクタ６の外周面Ｓ３とがそれぞれ、外周壁２の外周面Ｓ１を軸方向基端側に延長した仮想外周面Ｓ０内に収まっている。
【００３６】
また、前述した電気コネクタ結合部１３は外周面Ｓ４を有しており、前述した流体コネクタ結合部１４は外周面Ｓ５を有している。そして、本実施形態では、上記のような「直列配置」により、電気コネクタ結合部１３の外周面Ｓ４と流体コネクタ結合部１４の外周面Ｓ５とがそれぞれ、仮想外周面Ｓ０内に収まっている。
【００３７】
したがって、本実施形態に係る液質検出器１は、図９に示すように、液質の検出時に既存のホルダ２７を用いることができる可能性が大きい。例えば、図１０に示すように、液質検出器１に電気コネクタ５と流体コネクタ６との両方を設けるために、流体コネクタ６を外周壁２よりも径方向外側に張り出すように配置した場合には、図９に示すような既存のホルダ２７に収めることができなくなる。すなわち、既存のホルダ２７が、例えば、挿入開口２７ａを区画する挿入支持部２７ｂを有するとともに、挿入開口２７ａに液質検出器１の外周壁２が軸方向基端側に向けて挿入された状態で液質検出器１を支持可能に構成されている場合においては、電気コネクタ５と流体コネクタ６との周辺部の径寸法が増加すると、径寸法が増加した当該部分が挿入開口２７ａに挿入できないことにより、ホルダ２７を利用できなくなる可能性が増加する。これに対し、本実施形態に係る液質検出器１は、図６を参照して前述したように、電気コネクタ結合部１３の外周面Ｓ４と流体コネクタ結合部１４の外周面Ｓ５とがそれぞれ、仮想外周面Ｓ０内に収まっているので、図９に示すようなホルダ２７を用いることが可能となる。
【００３８】
前述したように、本実施形態に係る液質分析システム７は、図７に示すように、液質検出器１、内部液供給装置８、外部電気コネクタ９、信号変換部１０及び分析装置１１を備えている。信号変換部１０は、第１内部電極３ａと第２内部電極４ａとの電位差に応じたアナログ信号を物性値を示すデジタル信号に変換するように構成されている。分析装置１１は、マン・マシン・インタフェース部を有している。
【００３９】
本実施形態では、信号変換部１０は、外部電気コネクタ９を有するアダプタ１２に設けられるとともに、外部電気コネクタ９から入力されるアナログ信号を変換したデジタル信号を分析装置１１に出力可能である。第１内部電極３ａと第２内部電極４ａとの電位差に応じたアナログ信号は、外部電気コネクタ９の第１外部端子及び前記第２外部端子から入力される。
【００４０】
このような構成に代えて、信号変換部１０は、図８に示すように、分析装置１１’に設けられるとともに、外部電気コネクタ９から入力されるアナログ信号をデジタル信号に変換可能であってもよい。
【００４１】
あるいは、信号変換部１０は、図示は省略するが、液質検出器１に設けられるとともに、デジタル信号を、外部電気コネクタ９を通じて分析装置１１に出力可能であってもよい。液質分析システム７は、その他の種々の変更が可能である。
【００４２】
前述した本実施形態は、本発明の実施形態の一例にすぎず、発明の要旨を逸脱しない範囲で種々変更可能であることはいうまでもない。
【符号の説明】
【００４３】
１  液質検出器
２  外周壁
２ａ  基端部
２ｂ  先端部
２ｃ  フランジ
３  測定電極部
３ａ  第１内部電極
３ｂ  ガラス管
３ｃ  内部液
４  比較電極部
４ａ  第２内部電極
４ｂ  液絡部
４ｃ  内部液
４ｄ  収容空間
４ｅ  収容部
５  電気コネクタ
５ａ  筒壁
６  流体コネクタ
６ａ  筒壁
７  液質分析システム
８  内部液供給装置
８ａ  外部流体コネクタ
８ｂ  チューブ
８ｃ  供給容器
９  外部電気コネクタ
１０  信号変換部
１１、１１’  分析装置
１２  アダプタ
１３  電気コネクタ結合部
１４  流体コネクタ結合部
１５  包囲壁
１５ａ  切り欠き
１６  連結壁
１７  ケーブル
１８  Ｕ字締結具
１９  ねじ
２０  チューブ支持部
２０ａ  切り欠き
２１  第１ハウジング
２２  第２ハウジング
２３  雄ねじ部
２４  環状ナット
２５  位置決め突起
２６  位置決め凹部
２７  ホルダ
２７ａ  挿入開口
２７ｂ  挿入支持部
Ｐ  重複部分
Ｓ０  仮想外周面
Ｓ１〜Ｓ５  外周面
【図１】
2019184310.tif 000003
【図２】
2019184310.tif 000004
【図３】
2019184310.tif 000005
【図４】
2019184310.tif 000006
【図５Ａ】
2019184310.tif 000007
【図５Ｂ】
2019184310.tif 000008
【図５Ｃ】
2019184310.tif 000009
【図５Ｄ】
2019184310.tif 000010
【図６】
2019184310.tif 000011
【図７】
2019184310.tif 000012
【図８】
2019184310.tif 000013
【図９】
2019184310.tif 000014
【図１０】
2019184310.tif 000015